(57)【要約】      （修正有）【課題】設置可能な場所を増やすことができると共に、剥がしたり貼り付けたりする作業を容易にすることができ、カレンダーに関連して記載される情報が、カレンダー上のいずれの日に対応するものなのかを容易に把握することができるカレンダーシートを提供する。【解決手段】マグネットシート上にフィルム１４を接着又は貼着し、フィルム１４におけるマグネットシートとは反対側の面にカレンダー２０が印刷されるようにした。また、カレンダー２０は、各月ごとに、その月に属する全部の日を表示する欄と、その月に属するいずれかの日についての情報を表示する欄とが互いの近傍部分に設けられるようにした。【選択図】図１
0003147508.tif 000002
【実用新案登録請求の範囲】
【請求項１】
マグネットシート上にフィルムを接着又は貼着し、
前記フィルムにおける前記マグネットシートとは反対側の面にカレンダーが印刷されていることを特徴とするカレンダーシート。
【請求項２】
前記カレンダーは、各月ごとに、その月に属する全部の日を表示する欄と、その月に属するいずれかの日についての情報を表示する欄とが互いの近傍部分に設けられていることを特徴とする請求項１に記載のカレンダーシート。
【請求項３】
前記フィルムにおける前記カレンダーが印刷された面に、所定の製造品又は販売品が表示された絵又は写真と、この所定の製造品又は販売品を取扱う業者に関する情報とが印刷されている
ことを特徴とする請求項１又は２に記載のカレンダーシート。
【考案の詳細な説明】
【技術分野】
【０００１】
本考案は、カレンダーをシート材に印刷して作製されるカレンダーシートに関するものである。
【背景技術】
【０００２】
従来のカレンダーシートとしては、紙製又は合成樹脂製の１枚のシート材の一方の面に、１２ヶ月分のカレンダーをまとめて表示するようになっているものがあった。また、このような従来のカレンダーシートとしては、カレンダーと一緒に絵や写真等が掲載されているものがあった。このような従来のカレンダーシートは、例えば、その四隅のそれぞれを接着テープや画鋲等で固定することにより、部屋の壁等に貼り付けて使用するようになっていた。
【考案の開示】
【考案が解決しようとする課題】
【０００３】
しかしながら、上記従来のカレンダーシートは、そのシート材が紙製又は合成樹脂製であることにより、接着テープや画鋲等を用いなければ貼り付けることができないので、設置場所が限定されてしまうという問題点があった。
【０００４】
また、上記従来のカレンダーシートは、部屋の壁等に貼り付けた後において、仮に、この従来のカレンダーシートを何等かの理由により一旦剥がしたり、又は剥がして持ち出したりした場合には、再び部屋の壁等に貼り付ける作業が非常に煩わしいという問題があった。
【０００５】
また、上記従来のカレンダーシートは、１２ヶ月分のカレンダーをまとめて表示するようになっているので、行事予定日や記念日等のような特定の日について、その関連する情報を記載しようとしても、カレンダー内の日を表わす数字同士の左右上下方向の間隔が狭いこと等により、特定の日を表示する数字の周辺にその関連情報を記載することができないため、このような情報をカレンダーの表示領域の外側に記載しなければならなかった。
【０００６】
このため、このようなカレンダーの表示領域の外側に記載した情報は、カレンダー上のいずれの日に対応するものなのかを、容易に把握することができなくなってしまうという問題があった。
【０００７】
また、上記従来のカレンダーシートは、カレンダーと一緒に絵や写真等が掲載されているとしても、このような絵や写真等が有効活用されていないという問題があった。
【０００８】
そこで本考案は、上記問題点に鑑みて、設置可能な場所を増やすことができると共に、剥がしたり貼り付けたりする作業を容易にすることができるカレンダーシートを提供することを課題とするものである。
【０００９】
また本考案は、上記問題点に鑑みて、カレンダーに関連して記載される情報が、カレンダー上のいずれの日に対応するものなのかを容易に把握することができるカレンダーシートを提供することを課題とするものである。
【００１０】
また本考案は、上記問題点に鑑みて、カレンダーと一緒に掲載される絵や写真等を有効活用することができるカレンダーシートを提供することを課題とするものである。
【課題を解決するための手段】
【００１１】
上記課題を解決するために本考案によるカレンダーシートは、
マグネットシート上にフィルムを接着又は貼着し、
前記フィルムにおける前記マグネットシートとは反対側の面にカレンダーが印刷されていることを特徴とするものである。
【００１２】
また、本考案によるカレンダーシートは、
前記カレンダーが、各月ごとに、その月に属する全部の日を表示する欄と、その月に属するいずれかの日についての情報を表示する欄とが互いの近傍部分に設けられていることを特徴とするものである。
【００１３】
また、本考案によるカレンダーシートは、
前記フィルムにおける前記カレンダーが印刷された面に、所定の製造品又は販売品が表示された絵又は写真と、この所定の製造品又は販売品を取扱う業者に関する情報とが印刷されていることを特徴とするものである。
【考案の効果】
【００１４】
このような本考案のカレンダーシートによれば、
マグネットシート上にフィルムを接着又は貼着し、
前記フィルムにおける前記マグネットシートとは反対側の面にカレンダーが印刷されていることにより、
当該カレンダーシートを、例えば、家庭内における冷蔵庫や洗濯機等の家電製品等の、透磁性を有する金属性の筐体の外周面、又は金属製の扉等に貼り付けて設置することができるので、当該カレンダーシートの設置可能な場所を増やすことができる。
また、当該カレンダーシートを剥がしたり貼り付けたりする作業を、容易にすることができる。
【００１５】
また、このような本考案のカレンダーシートによれば、
前記カレンダーが、各月ごとに、その月に属する全部の日を表示する欄と、その月に属するいずれかの日についての情報を表示する欄とが互いの近傍部分に設けられていることにより、
カレンダーに関連して記載される情報が、カレンダー上のいずれの日に対応するものなのかを容易に把握することができる。
【００１６】
また、このような本考案のカレンダーシートによれば、
前記フィルムにおける前記カレンダーが印刷された面に、所定の製造品又は販売品が表示された絵又は写真と、この所定の製造品又は販売品を取扱う業者に関する情報とが印刷されていることにより、
例えば、上記絵又は写真に表示されている所定の製造品又は販売品を入手した後に、このような所定の製造品又は販売品についてのアフターサービスを受けたい場合や、修理等を依頼したい場合などには、この所定の製造品又は販売品を取扱う業者に対して直ぐに連絡することができるようになるので、カレンダーと一緒に掲載される絵や写真を有効活用することができる。
【考案を実施するための最良の形態】
【００１７】
以下、本考案に係るカレンダーシートの最良の実施の形態について、図面に基づいて具体的に説明する。
図１から図３のそれぞれは、本考案の一実施の形態に係るカレンダーシート１０について説明するために参照する正面図（表側の面を示す図）及び側面図である。
【００１８】
本実施の形態に係るカレンダーシート１０は、図１に示すように、その平面形状が長方形であって、図２に示すように、マグネットシート材１２と、このマグネットシート材１２の一方の面に接着又は貼着されたフィルム材１４を備えて構成されている。
【００１９】
このカレンダーシート１０は、図１に示すように、そのフィルム材１４におけるマグネットシート材１２とは反対側の面にカレンダー２０が印刷されている。このカレンダー２０には、１２ヶ月の各月を表示する１２個の欄が設けられている。
【００２０】
図３は、カレンダー２０の中の１月の欄２０ａを拡大表示したものである。この１月の欄２０ａ内には、その第１行目にこの欄２０ａ内に表示される月が１月であることを示す数字「０１」が表示され、その第２行目に第３行目以降に表示される日の各列の曜日が表示され、第３行目から第７行目までに、その月に属する日が曜日ごとに整列して表示されている。
【００２１】
また、この１月の欄２０ａ内には、その第８行目と第９行目のそれぞれに、この１月に属する日の中のいずれかの特定の日と、この特定の日に関する情報が記載される欄２２ａ，２２ｂが設けられている。この欄２２ａ，２２ｂ内に記載される情報の具体的内容は、カレンダー２０の印刷前に、このカレンダーシート１０の使用者が任意に決定しておくことにより、カレンダー２０の印刷時に一緒に印刷されるようにすることができる。
【００２２】
本実施の形態においては、例として、これらの欄２２ａ，２２ｂのそれぞれに、１０日と１５日とが特定の日であって、この１０日と１５日のそれぞれが、結婚記念日である旨、及び花子の誕生日である旨が記載されている。
【００２３】
また、この１月の欄２０ａ内には、その第１０行目に、欄２２ｃが設けられている。この欄２２ｃは、欄２２ａ，２２ｂとは異なって、この１月に属する日の中のいずれかの日に対応するかどうかについて限定せずに、１月に属するいずれかの日を含むよう緩やかに定められた任意の期間に対応する情報が記載されている。
【００２４】
この欄２２ｃ内に記載される情報の具体的内容は、欄２２ａ，２２ｂに記載される情報と同様に、カレンダー２０の印刷前に、このカレンダーシート１０の使用者が任意に決定しておくことにより、カレンダー２０の印刷時に一緒に印刷されるようにすることができる。
【００２５】
また、欄２２ａ，２２ｂ，２２ｃ内に記載される情報は、上述した通り、カレンダー２０が印刷される際に、一緒に印刷されるものであっても良いが、カレンダー２０の印刷時には空白であって印刷後に手書き等により記載されるようにしても良い。
【００２６】
図１に示すように、カレンダー２０は、その１月の欄２０ａ以外の他の月の欄も、１月の欄２０ａと同様に構成されている。
【００２７】
また、カレンダーシート１０におけるフィルム材１４のカレンダー２０が印刷されている面には、その平面形状である長方形の上辺寄りの領域と下辺寄りの領域のそれぞれに、自動車の絵３０と、この絵３０に描かれている自動車を販売する自動車販売店の名称や連絡先等の情報３２が印刷されている。
【００２８】
このような本実施の形態に係るカレンダーシート１０によれば、マグネットシート材１２を備えていることにより、例えば、家庭内における冷蔵庫や洗濯機等の家電製品の金属製の筐体の外周面、又は金属製の扉等に対して貼り付けて設置することができるので、このカレンダーシート１０の設置可能な場所を増やすことができる。
【００２９】
また、本実施の形態に係るカレンダーシート１０によれば、そのマグネットシート材１２の磁力により貼り付くようになっているので、このカレンダーシート１０を剥がしたり貼り付けたりする作業を、容易にすることができる。
【００３０】
また、本実施の形態に係るカレンダーシート１０によれば、そのカレンダー２０が、各月ごとに、その月に属する全部の日を表示する欄と、その月に属するいずれかの日についての情報を表示する欄とが互いの近傍部分に設けられていることにより、カレンダー２０に関連して記載される情報が、カレンダー２０上のいずれの日に対応するものなのかを容易に把握することができる。
【００３１】
また、本実施の形態に係るカレンダーシート１０によれば、そのフィルム材１４におけるカレンダー２０が印刷された面に、自動車の絵３０と、この絵３０に表された自動車を販売する自動車販売店の名称や連絡先等の情報３２とが印刷されていることにより、例えば、カレンダーシート１０の使用者が、その絵３０に表された自動車を入手した後に、この自動車についてのアフターサービスを受けたい場合や、修理等を依頼したい場合などには、その自動車販売店に対して直ぐに連絡することができるようになっているので、カレンダー２０と一緒に掲載される絵３０を有効活用することができる。
【００３２】
なお、本実施の形態に係るカレンダーシート１０においては、その長方形の平面形状における上辺寄りの領域に、絵３０が印刷されていたが、このような絵３０の代わりに、写真等が印刷されるようになっていてもよい。
【００３３】
また、本実施の形態に係るカレンダーシート１０においては、そのフィルム材１４の長方形の平面形状における上辺寄りの領域と下辺寄りの領域のそれぞれに、自動車の絵３０と情報３２が印刷され、この絵３０と情報３２との中間位置にカレンダー２０が印刷されていたが、これらカレンダー２０、絵３０、及び情報３２のそれぞれが印刷される位置は、このような位置関係に限定されるものではなく、自由に配置することができる。
【００３４】
また、本実施の形態に係るカレンダーシート１０においては、その絵３０に自動車が表されていたが、絵３０の中に表されるものは、自動車以外の他の製造品や販売品であってもよい。
【００３５】
また、このような場合には、カレンダーシート１０内に印刷される情報３２としては、絵３０に表された、自動車以外の他の製造品や販売品に対応する取扱業者に関する情報を記載するようにすることができる。
【００３６】
また、本実施の形態に係るカレンダーシート１０は、そのフィルム材１４に、カレンダー２０、絵３０、及び情報３２等が既に印刷された状態のものであったが、このカレンダー２０、絵３０、及び情報３２等は、カレンダーシート１０の使用者等がインクジェットプリンター等により個別に印刷するようになっていてもよい。
【図面の簡単な説明】
【００３７】
【図１】本考案の一実施の形態に係るカレンダーシート１０を示す正面図である。
【図２】本考案の一実施の形態に係るカレンダーシート１０を示す側面図である。
【図３】図１に示すカレンダー２０の１月の欄２０ａを示す拡大図である。
【符号の説明】
【００３８】
１０  カレンダーシート１０
１２  マグネットシート材
１４  フィルム材
２０  カレンダー
２０ａ  欄
２２ａ，２２ｂ，２２ｃ  欄
３０  絵
３２  情報
【図１】
0003147508.tif 000003
【図２】
0003147508.tif 000004
【図３】
0003147508.tif 000005